(57)【要約】本発明は無線通信の技術分野に関し、データ伝送方法及び装置、並びに端末を提供する。この方法は、セルラネットワークによって提供される第１のリンクとＷＬＡＮによって提供される第２のリンクとの手段によって別々に通信相手との通信接続を確立する端末に適用され、ローカルエンドがアクセスするＷＬＡＮの関連情報を取得するステップと、ＷＬＡＮの関連情報に従って、第２のリンクの手段によって通信相手に送信されるデータ量を決定するステップと、データ量に従って第２のリンクの手段によって通信相手にアップリンクデータを送信するステップと、を含む。本発明は、ＬＷＡ技術におけるアップリンク送信解決策を提供する。セルラネットワークによって提供される第１のリンクおよびＷＬＡＮによって提供される第２のリンク上で別々に送信されるべきデータ量はＷＬＡＮの関連情報に基づいて決定され、それにより、ストリーム分割後にアップリンクデータを送信することができ、セルラネットワークのデータ送信圧力が低減され、２つのリンク上で送信されるデータ量の割り当て妥当性が保証される。【選択図】        図２
2019520006.tif 000002
【特許請求の範囲】
【請求項１】
セルラーネットワークによって提供される第１のリンクおよび無線ローカルエリアネットワーク（ＷＬＡＮ）によって提供される第２のリンクをそれぞれ介して通信相手ノードとの通信接続を確立する端末に適用されるデータ伝送方法であって、
ホーム端末によってアクセスされるＷＬＡＮの関連情報を取得するステップであって、前記ＷＬＡＮの関連情報は、ＷＬＡＮのデータ配信能力を示すために使用されるステップと、
前記ＷＬＡＮの関連情報に従って、前記第２のリンクによって前記通信相手ノードに送信されるデータ量を決定するステップと、
前記データ量に従って、前記第２のリンクを介して前記通信相手ノードにアップリンクデータを送信するステップと、を含む方法。
【請求項２】
前記ＷＬＡＮの関連情報は、前記ＷＬＡＮのバージョン番号、前記ＷＬＡＮの受信信号強度指示（ＲＳＳＩ）、前記ＷＬＡＮの利用可能なチャネル利用、前記ＷＬＡＮの基本サービスセット（ＢＳＳ）負荷、および前記ＷＬＡＮにおいてアクセスされる局（ＳＴＡ）の数のうちの少なくとも１つを含む、請求項１に記載の方法。
【請求項３】
前記ＷＬＡＮの関連情報に従って、前記第２のリンクによって前記通信相手ノードに送信されるデータ量を決定するステップは、
前記アップリンクデータを格納するように構成されたアップリンクバッファ内の現在のデータ量を取得するステップと、
前記ＷＬＡＮの関連情報および前記現在のデータ量に従って、前記第２のリンクによって前記通信相手ノードに送信されるデータ量を決定するステップと、を含む請求項１に記載の方法。
【請求項４】
バッファステータスレポート（ＢＳＲ：Ｂｕｆｆｅｒ  Ｓｔａｔｕｓ  Ｒｅｐｏｒｔ）を前記セルラネットワーク内の基地局に送信するステップであって、前記ＢＳＲは前記現在のデータ量と前記第２のリンクによって送信された前記データ量との間の差分値を含み、前記基地局は、前記差分値に従って前記端末にアップリンクリソースを割り当てるように構成されるステップと、
前記基地局によって割り当てられた前記アップリンクリソースを取得するステップと、をさらに含む、請求項３に記載の方法。
【請求項５】
ネットワーク状態を取得するステップと、
前記ネットワーク状態に応じて前記第１のリンクおよび前記第２のリンクのうちの一方によって送信されるデータ量を調整するステップと、をさらに含む請求項１〜３のいずれか一項に記載の方法。
【請求項６】
前記ネットワーク状態は、前記第１のリンクのリンク品質、前記第２のリンクのリンク品質、前記セルラーネットワークの負荷状態、および前記ＷＬＡＮの負荷状態のうちの少なくとも１つを含む、請求項５に記載の方法。
【請求項７】
セルラネットワークによって提供される第１のリンクおよび無線ローカルエリアネットワーク（ＷＬＡＮ）によって提供される第２のリンクをそれぞれ介して通信相手ノードとの通信接続を確立する端末に適用されるデータ伝送装置であって、
ホーム端末によってアクセスされるＷＬＡＮの関連情報を取得するように構成された第１の取得モジュールであって、前記ＷＬＡＮの関連情報は、ＷＬＡＮのデータ配信能力を示すために使用される第１の取得モジュールと、
前記ＷＬＡＮの関連情報に従って前記第２のリンクによって前記通信相手ノードに送信されるデータ量を決定するように構成された決定モジュールと、
前記データ量に従って前記第２のリンクを介して前記通信相手ノードにアップリンクデータを送信するように構成された送信モジュールと、を備える装置。
【請求項８】
前記ＷＬＡＮの関連情報は、前記ＷＬＡＮのバージョン番号、前記ＷＬＡＮの受信信号強度指示ＲＳＳＩ、前記ＷＬＡＮの利用可能なチャネル利用、前記ＷＬＡＮの基本サービスセットＢＳＳ負荷、および前記ＷＬＡＮにおいてアクセスされる局ＳＴＡの数のうちの少なくとも１つを含む、請求項７に記載の装置。
【請求項９】
前記決定モジュールは、
前記アップリンクデータを格納するように構成されたアップリンクバッファ内の現在のデータ量を取得するように構成された第１の取得サブモジュールと、
前記ＷＬＡＮの関連情報および前記現在のデータ量に従って、前記第２のリンクによって前記通信相手ノードに送信されるデータ量を決定するように構成された決定サブモジュールと、を含む請求項７に記載の装置。
【請求項１０】
前記決定モジュールは、
前記セルラネットワーク内の基地局にバッファステータスレポート（ＢＳＲ：Ｂｕｆｆｅｒ  Ｓｔａｔｕｓ  Ｒｅｐｏｒｔ）を送信するように構成された送信サブモジュールであって、前記ＢＳＲは前記現在のデータ量と前記第２のリンクによって送信されたデータ量との間の差分値を含み、前記基地局は前記差分値に従って前記端末にアップリンクリソースを割り当てるように構成される送信サブモジュールと、
前記基地局によって割り当てられた前記アップリンクリソースを取得するように構成された第２の取得サブモジュールと、をさらに含む請求項９に記載の装置。
【請求項１１】
ネットワーク状態を取得するように構成された第２の取得モジュールと、
前記ネットワーク状態に従って前記第１のリンクおよび前記第２のリンクのうちの１つによって送信されるデータ量を調整するように構成された調整モジュールと、をさらに含む請求項７〜１０のいずれか一項に記載の装置。
【請求項１２】
前記ネットワーク状態は、前記第１のリンクのリンク品質、前記第２のリンクのリンク品質、前記セルラーネットワークの負荷状態、および前記ＷＬＡＮの負荷状態のうちの少なくとも１つを含む、請求項１１に記載の装置。
【請求項１３】
セルラネットワークによって提供される第１のリンクと、無線ローカルエリアネットワーク（ＷＬＡＮ）によって提供される第２のリンクとのそれぞれを介して、通信相手ノードとの通信接続を確立する端末であって、
プロセッサと、
前記プロセッサによって実行可能な命令を記憶するためのメモリと、を備え、
前記プロセッサは、
ホーム端末によってアクセスされるＷＬＡＮの関連情報を取得し、前記ＷＬＡＮの関連情報は、ＷＬＡＮのデータ配信能力を示すために使用され、
前記ＷＬＡＮの関連情報に従って、前記第２のリンクによって前記通信相手ノードに送信されるデータ量を決定し、
前記データ量に従って、前記第２のリンクを介して前記通信相手ノードにアップリンクデータを送信するように構成される端末。
【発明の詳細な説明】
【技術分野】
【０００１】
本開示は無線通信の技術分野に関し、特に、データ伝送方法および装置ならびに端末に関する。
【背景技術】
【０００２】
オペレータのセルラネットワークの負荷がますます重くなるにつれて、無線ローカルエリアネットワーク（ＷＬＡＮ：Ｗｉｒｅｌｅｓｓ  Ｌｏｃａｌ  Ａｒｅａ  ｎｅｔｗｏｒｋ）ネットワークは、ますますオペレータの注意を集めている。オペレータは、オペレータレベルのＷＬＡＮをセルラーネットワークのホットサプリメントとして配備して、セルラーネットワークがフロー分割を実行するのを助け、セルラーネットワークの急速なフロー成長の圧力が軽減される。ユーザ体験が改善される。
【０００３】
ＬＴＥ-ＷＬＡＮ集約（ＬＷＡ）技術は、ＬＴＥ（Ｌｏｎｇ  Ｔｅｒｍ  Ｅｖｏｌｕｔｉｏｎ）ネットワークと無線側のＷＬＡＮとの間の深い統合を保証して、それらの動的負荷のバランスをとることができる。ＬＷＡ技術は、主にデュアルリンク技術を指す。すなわち、コアネットワークからのすべてのデータは最初に、ＬＴＥネットワーク内の進化型ノードＢ（ｅＮＢ：ｅｖｏｌｖｅｄ  ＮｏｄｅＢ）に送信され得る。ｅＮＢは、一連の測定結果、事前設定などに従って、どのデータがＬＴＥネットワークを介してユーザ装置（ＵＥ：Ｕｓｅｒ  Ｅｑｕｉｐｍｅｎｔ）に送信されるか、およびどのデータがＷＬＡＮを介してユーザ装置に送信されるかを決定することができる。
【発明の概要】
【発明が解決しようとする課題】
【０００４】
現在、関連組織はＬＷＡ技術におけるダウンリンク送信プロセスのみを議論しているが、アップリンク送信プロセスに関する関連解決策は提案されていない。
【課題を解決するための手段】
【０００５】
本開示の実施形態は、データ伝送方法およびデバイス、ならびに端末を提供する。技術的解決策は以下の通りである。
【０００６】
本開示の実施形態の第１の態様によれば、セルラネットワークによって提供される第１のリンクおよび無線ローカルエリアネットワークＷＬＡＮによって提供される第２のリンクを介して通信相手ノードとの通信接続を確立する端末に適用されるデータ伝送方法が提供され、当該方法は以下のステップを備える。
【０００７】
ホーム端末によってアクセスされるＷＬＡＮの関連情報を取得するステップであって、ＷＬＡＮの関連情報は、ＷＬＡＮのデータ配信能力を示すために使用される。
【０００８】
ＷＬＡＮの関連情報に従って、第２のリンクによって通信相手ノードに送信されるデータ量を決定するステップ。
【０００９】
データ量に従って、第２のリンクを介して通信相手ノードにアップリンクデータを送信するステップ。
【００１０】
任意選択的に、ＷＬＡＮネットワークの関連情報は、ＷＬＡＮネットワークのバージョン番号、ＷＬＡＮネットワークの受信信号強度指示ＲＳＳＩ、ＷＬＡＮネットワークの利用可能なチャネル利用、ＷＬＡＮネットワークの基本サービスセットＢＳＳ負荷、およびＷＬＡＮネットワーク内でアクセスされる局ＳＴＡの数のうちの少なくとも１つを含む。
【００１１】
任意選択的に、ＷＬＡＮネットワークの関連情報に従って、第２のリンクによって通信相手ノードに送信されるデータ量を決定するステップは以下を含む。
【００１２】
アップリンクデータを格納するように構成されたアップリンクバッファ内の現在のデータ量を取得するステップ。
【００１３】
ＷＬＡＮネットワークの関連情報および現在のデータ量に従って、第２のリンクによって通信相手ノードに送信されるデータ量を決定するステップ。
【００１４】
任意選択的に、方法は、以下のステップをさらに含む。
【００１５】
バッファステータスレポート（ＢＳＲ：Ｂｕｆｆｅｒ  Ｓｔａｔｕｓ  Ｒｅｐｏｒｔ）をセルラネットワーク内の基地局に送信するステップであって、ＢＳＲは現在のデータ量と第２のリンクによって送信されたデータ量との間の差分値を含み、基地局は、差分値に従って端末にアップリンクリソースを割り当てるように構成される。
【００１６】
基地局によって割り当てられたアップリンクリソースを取得するステップ。
【００１７】
任意選択的に、方法は、以下のステップをさらに含む。
【００１８】
ネットワーク状態を取得するステップ。
【００１９】
ネットワーク状態に従って第１のリンクまたは第２のリンクによって送信されるデータ量を調整するステップ。
【００２０】
任意選択的に、ネットワーク状態は、第１のリンクのリンク品質、第２のリンクのリンク品質、セルラネットワークの負荷状態、およびＷＬＡＮネットワークの負荷状態のうちの少なくとも１つを含む。
【００２１】
本開示の実施形態の第２の態様によれば、セルラネットワークによって提供される第１のリンクおよびＷＬＡＮによって提供される第２のリンクを介して通信相手ノードとの通信接続を確立する端末に適用されるデータ伝送装置が提供され、当該装置は以下を備える。
【００２２】
ホーム端末によってアクセスされるＷＬＡＮの関連情報を取得するように構成された第１の取得モジュールであって、ＷＬＡＮの関連情報は、ＷＬＡＮのデータ配信能力を示すために使用される。
【００２３】
ＷＬＡＮの関連情報に従って第２のリンクによって通信相手ノードに送信されるデータ量を決定するように構成された決定モジュール。
【００２４】
データ量に従って第２のリンクを介して通信相手ノードにアップリンクデータを送信するように構成された送信モジュール。
【００２５】
任意選択的に、ＷＬＡＮネットワークの関連情報は、ＷＬＡＮネットワークのバージョン番号、ＷＬＡＮネットワークの受信信号強度指示ＲＳＳＩ、ＷＬＡＮネットワークの利用可能なチャネル利用、ＷＬＡＮネットワークの基本サービスセットＢＳＳ負荷、およびＷＬＡＮネットワーク内でアクセスされる局ＳＴＡの数のうちの少なくとも１つを含む。
【００２６】
任意選択的に、決定モジュールは以下を含む。
【００２７】
アップリンクデータを格納するように構成されたアップリンクバッファ内の現在のデータ量を取得するように構成された第１の取得サブモジュール。
【００２８】
ＷＬＡＮの関連情報および現在のデータ量に従って、第２のリンクによって通信相手ノードに送信されるデータ量を決定するように構成された決定サブモジュール。
【００２９】
任意選択的に、決定モジュールはさらに以下を含む。
【００３０】
セルラネットワーク内の基地局にバッファ状態報告（ＢＳＲ：Ｂｕｆｆｅｒ  Ｓｔａｔｕｓ  Ｒｅｐｏｒｔ）を送信するように構成された送信サブモジュールであって、ＢＳＲは現在のデータ量と第２のリンクによって送信されたデータ量との間の差分値を含み、基地局は、差分値に従って端末にアップリンクリソースを割り当てるように構成される。
【００３１】
基地局によって割り当てられたアップリンクリソースを取得するように構成された第２の取得サブモジュール。
【００３２】
任意選択的に、装置はさらに以下を含む。
【００３３】
ネットワーク状態を取得するように構成された第２の取得モジュール。
【００３４】
ネットワーク状態に従って第１のリンクまたは第２のリンクによって送信されるデータ量を調整するように構成された調整モジュール。
【００３５】
任意選択的に、ネットワーク状態は、第１のリンクのリンク品質、第２のリンクのリンク品質、セルラネットワークの負荷状態、およびＷＬＡＮネットワークの負荷状態のうちの少なくとも１つを含む。
【００３６】
本開示の実施形態の第３の態様によれば、端末が提供され、端末はセルラーネットワークによって提供される第１のリンクおよびＷＬＡＮによって提供される第２のリンクを介して、通信相手ノードとの通信接続を確立し、端末は以下を備える。
【００３７】
プロセッサ。
【００３８】
プロセッサによって実行可能な命令を記憶するためのメモリ。
【００３９】
ここで、プロセッサは、以下のように構成される。
【００４０】
ホーム端末によってアクセスされるＷＬＡＮの関連情報を取得し、ＷＬＡＮの関連情報は、ＷＬＡＮのデータ配信能力を示すためのものである。
【００４１】
ＷＬＡＮの関連情報に従って、第２のリンクによって通信相手ノードに送信されるデータ量を決定する。
【００４２】
データ量に従って、第２のリンクを介して通信相手ノードにアップリンクデータを送信する。
【発明の効果】
【００４３】
本開示によって提供される技術的解決策は、以下の有利な利点を含むことができる。
【００４４】
ホーム端末がアクセスされるＷＬＡＮネットワークの関連情報を取得することによって、通信相手ノードに送信されるデータ量はＷＬＡＮネットワークの関連情報に従ってＷＬＡＮネットワークによって提供される第２のリンクによって決定され、アップリンクデータは決定されたデータ量に従って第２のリンクを介して通信相手ノードに送信される。ＬＷＡ技術におけるアップリンク送信解決策が提供される。セルラネットワークによって提供される第１のリンクおよびＷＬＡＮネットワークによって提供される第２のリンク上で送信されるデータのサイズは、ＷＬＡＮネットワークの関連情報に基づいて決定される。これにより、アップリンクデータの配信が実現される。セルラネットワークのデータ伝送圧力が低下する。２つのリンクで伝送されるデータ量の割り当ての妥当性が保証される。
【００４５】
前述の一般的な説明および以下の詳細な説明は両方とも、例示および説明にすぎず、本開示を限定するものではないことを理解されたい。
【図面の簡単な説明】
【００４６】
本明細書に組み込まれ、その一部を構成する添付の図面は本開示と一致する実施形態を図示し、説明と共に、本開示の原理を説明するのに役立つ。
【００４７】
【図１】例示的実施形態によるネットワークアーキテクチャの概略図である。
【００４８】
【図２】例示的実施形態によるデータ伝送方法のフローチャートである。
【００４９】
【図３】他の実施形態によるデータ伝送方法を示すフローチャートである。
【００５０】
【図４】例示的実施形態によるデータ伝送装置のブロック図である。
【００５１】
【図５】他の実施形態によるデータ伝送装置のブロック図である。
【００５２】
【図６】例示的実施形態による端末の簡略化された概略図である。
【発明を実施するための形態】
【００５３】
ここで、例示的な実施形態が詳細に説明され、その例が添付の図面に示される。以下の説明は添付の図面を参照し、異なる図面における同じ番号は特に表さない限り、同じまたは類似の要素を表す。例示的な実施形態の以下の説明で説明される実装形態は、本開示と一致するすべての実装形態を表すわけではない。むしろ、これらは、添付の特許請求の範囲に列挙される本開示の態様と一致するデバイスおよび方法の単なる例である。
【００５４】
図１は、例示的な実施形態によるネットワークアーキテクチャの概略図である。ネットワークアーキテクチャは、端末１０、セルラネットワーク２０およびＷＬＡＮ３０を含む。
【００５５】
セルラネットワーク２０は、モバイルネットワークとも呼ばれ、通常、コアネットワークおよびアクセスネットワークを含む。ＭＭＥ（Ｍｏｂｉｌｉｔｙ  Ｍａｎａｇｅｍｅｎｔ  Ｅｎｔｉｔｙ）およびサービスゲートウェイ（Ｓ-ＧＷ）などのいくつかのコアネットワークデバイス２２が、コアネットワーク内に配備される。いくつかの基地局２１が、アクセスネットワーク内に配備される。基地局２１と端末１０とは、あるエアインタフェース技術、例えばセルラ技術を介して通信する。ＬＴＥシステムでは、基地局２１と端末１０とはＵｕインターフェースを介して通信する。本開示の実施形態で説明される技術的解決策は、ＬＴＥシステムまたは様々な無線アクセス技術を採用する他の無線通信システム、例えば、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ-ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などを採用するシステムに適用可能であり得る。また、この技術的解決策はＬＴＥシステムのフォローアップ進化システム、例えば、５Ｇ（５ｔｈ  Ｇｅｎｅｒａｔｉｏｎ）システムにも適用可能である。明確にするために、ＬＴＥシステムのみが説明のための例として取られる。ＬＴＥシステムでは、Ｅ-ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）が無線アクセスネットワークとして機能し、ＥＰＣ（Ｅｖｏｌｖｅｄ  Ｐａｃｋｅｔ  Ｃｏｒｅ）がコアネットワークとして機能する。
【００５６】
ＷＬＡＮ３０は、複数のアクセスポイント（ＡＰ：Ａｃｃｅｓｓ  Ｐｏｉｎｔ）３１を含む。ＡＰ３１は、無線アクセスポイントまたはホットスポットとも呼ばれ、端末１０がＷＬＡＮ３０にアクセスするために使用される。ＡＰ３１と端末１０とは、無線ネットワーク、例えば、Ｗｉ-Ｆｉ（Ｗｉｒｅｌｅｓｓ  Ｆｉｄｅｌｉｔｙ）ネットワークを介して通信する。
【００５７】
セルラネットワーク２０およびＷＬＡＮ３０が集約されるシナリオでは、端末１０がセルラネットワーク２０によって提供される第１のリンクおよびＷＬＡＮ３０によって提供される第２のリンクを介して、通信相手ノードとの通信接続を確立する。図１に示すように、第１のリンクは、端末１０と基地局２１との間の直接接続のための通信リンクである。第２のリンクは、ＡＰ３１を介して端末１０と基地局２１との間で確立される通信リンクである。
【００５８】
例えば、ＬＴＥネットワークとしてセルラーネットワーク２０を取り上げると、ＬＷＡの状況では、ＬＴＥネットワークがコロケーションフュージョンの手段によってＷＬＡＮ３０と集約され得る。ＷＬＡＮ３０内のＡＰ３１は、ＬＴＥネットワーク内のｅＮＢと統合されてもよい。あるいは、ＬＴＥネットワークが非コロケーションフュージョンの手段により、ＷＬＡＮ３０と集約されてもよい。ＷＬＡＮ３０内のＡＰ３１は、Ｘｗインターフェースを介してＬＴＥネットワーク内のｅＮＢに接続することができる。
【００５９】
ダウンリンク送信プロセスではコアネットワークから送信されたデータパケットを受信した後、セルラーネットワーク２０内の基地局２１は基地局２１の現在の負荷状態、接続されたＷＬＡＮ３０内のＡＰ３１の負荷状態、および端末１０とＷＬＡＮ３０内のＡＰ３１との間のリンク状態などの多くの要因を考慮に入れて、特定のデータパケットまたは特定のサービスがセルラーネットワークまたはＷＬＡＮ３０によって端末１０に送信されるかどうかを動的に決定することができる。基地局２１がＷＬＡＮから端末１０へ特定のデータパケットを送信することを決定した場合、これらのデータパケットは、ＰＤＣＰ（Ｐａｃｋｅｔ  Ｄａｔａ  Ｃｏｎｖｅｒｇｅｎｃｅ  Ｐｒｏｔｏｃｏｌ）層を介して動的に分配することができる。セルラネットワーク２０のデータパケットは、新たに追加された適応層または適応機能によって適応およびパッケージ化され、次いで、接続されたＷＬＡＮ３０内のＡＰ３１に送信され、次いで、ＷＬＡＮ３０内のＡＰ３１によって対応する端末１０に送信される。ＷＬＡＮ３０によって配信されたデータパケットを受信した後、端末１０は、ＰＤＣＰ層でセルラネットワーク２０によって受信されたデータパケットとこれらをマージすることができる。そして、マージされたデータパケットは、上位レベルに送信される。アップリンク送信プロセスの詳細については、本開示の方法の実施形態における導入および説明を参照されたい。
【００６０】
本開示の実施形態では用語「ネットワーク」および「システム」がしばしば代替的に使用されるが、それらの意味は当業者によって理解され得る。本開示の実施形態に関わる端末は、無線通信機能を有する様々なハンドヘルドデバイス、車載デバイス、ウェアラブルデバイスおよびコンピュータデバイス、または無線モデムに接続された他の処理デバイス、ならびにＵＥ（ユーザ装置）、ＭＳ（移動局）、端末デバイスなどを様々なフォーマットで含むことができる。なお、説明の便宜上、上記各装置を総称して端末と呼ぶ。本開示の実施形態に関わるＢＳ（Ｂａｓｅ  Ｓｔａｔｉｏｎ）は、無線アクセスネットワークに展開され、端末に無線通信機能を提供するように構成されたデバイスである。基地局は、マクロ基地局、マイクロ基地局、中継局、アクセスポイントなどを含むことができる。異なるワイヤレスアクセス技術を採用するシステムでは、基地局の機能を有するデバイスが異なる名前を有することができる。例えば、基地局の機能を有するデバイスは、ＬＴＥシステムでは進化型ノードＢ（ｅＮＢ  ｏｒ  ｅＮｏｄｅＢ）と呼ばれ、３Ｇ通信システムではノードＢと呼ばれる。なお、説明の便宜上、端末に無線通信機能を提供する装置をまとめて基地局またはＢＳと呼ぶ。
【００６１】
図２は、本発明の一実施形態によるデータ伝送方法を示すフローチャートである。この方法は、図１の実施環境における端末に適用することができる。端末は、セルラーネットワークによって提供される第１のリンクおよびＷＬＡＮによって提供される第２のリンクを介して、通信相手ノードとの通信接続を確立する。この方法は、以下のステップを含むことができる。
【００６２】
ステップ２０１において、ホーム端末によってアクセスされるＷＬＡＮの関連情報が取得され、ＷＬＡＮの関連情報は、ＷＬＡＮのデータ配信能力を示すために使用される。
【００６３】
ステップ２０２において、第２のリンクによって通信相手ノードに送信されるデータ量が、ＷＬＡＮの関連情報に従って決定される。
【００６４】
ステップ２０３では、データ量に応じて、第２のリンクを介してアップリンクデータが通信相手ノードに送信される。
【００６５】
要約すると、本実施形態によって提供されるデータ伝送方法はホーム端末によってアクセスされるＷＬＡＮの関連情報を取得し、ＷＬＡＮの関連情報に従ってＷＬＡＮによって提供される第２のリンクによって通信相手ノードに送信されるデータ量を決定し、決定されたデータ量に従って第２のリンクによって通信相手ノードにアップリンクデータを送信する。ＬＷＡ技術におけるアップリンク送信解決策が提供される。セルラネットワークによって提供される第１のリンクおよびＷＬＡＮによって提供される第２のリンク上で送信されるデータのサイズは、ＷＬＡＮの関連情報に基づいて決定される。これにより、アップリンクデータの配信が実現される。セルラネットワークのデータ伝送圧力が低下する。２つのリンクで伝送されるデータ量の割り当ての妥当性が保証される。
【００６６】
図３は、他の実施形態によるデータ伝送方法のフローチャートである。この方法は、図１に示す実装環境における端末に適用することができる。端末は、セルラーネットワークによって提供される第１のリンクおよびＷＬＡＮによって提供される第２のリンクをそれぞれ介して、通信相手ノードとの通信接続を確立する。この方法は、以下のステップを含むことができる。
【００６７】
ステップ３０１では、ホーム端末がアクセスするＷＬＡＮの関連情報を取得する。
【００６８】
端末は、ホーム端末がアクセスするＷＬＡＮの関連情報を取得する。ＷＬＡＮの関連情報は、ＷＬＡＮのデータ配信能力を示すために使用される。ここで、ＷＬＡＮのデータ配信能力は、ＷＬＡＮのバージョン、負荷状態、リンク品質などの観点から測定することができる。
【００６９】
任意選択的に、ＷＬＡＮの関連情報はＷＬＡＮのバージョン番号、ＷＬＡＮの受信信号強度指示ＲＳＳＩ、ＷＬＡＮの利用可能なチャネル利用、ＷＬＡＮの基本サービスセットＢＳＳ負荷、およびＷＬＡＮにおいてアクセスされる局ＳＴＡの数のうちの少なくとも１つを含むが、これらに限定されない。ここで、ＷＬＡＮのＲＳＳＩは、端末と端末に接続されたＡＰとの間のＲＳＳＩを意味する。例えば、端末はＲＳＳＩ値を得るために、端末に接続されたＡＰによって送信される受信信号の強度を測定することができる。ＷＬＡＮの利用可能なチャネル利用は、第２のリンクにおける利用可能なチャネルの利用率を意味する。ＷＬＡＮのＢＳＳ負荷は端末が属するＢＳＳ（すなわち、端末に接続されたＡＰが属するＢＳＳ）の負荷条件（ｌｏａｄ  ｃｏｎｄｉｔｉｏｎ）を意味する。ＷＬＡＮでアクセスされるＳＴＡの数は、端末に接続されたＡＰに接続されたＳＴＡの数を意味する。
【００７０】
ステップ３０２において、第２のリンクによって通信相手ノードに送信されるデータ量が、ＷＬＡＮの関連情報に従って決定される。
【００７１】
端末は、ＷＬＡＮの関連情報に従って、第２のリンクによって通信相手ノードに送信されるデータ量を決定する。データ量は、通信相手ノードに送信される必要があるデータの総量に対する、第２のリンクによって通信相手ノードに送信されるデータ量の比率を意味する具体的な数値であってもよい。あるいは、データ量がデータパケットの数（単位：ｐｉｅｃｅ）またはデータサイズ（単位：ｂｉｔ）を示す値であってもよい。
【００７２】
一例ではデータ量がデータパケットの数またはデータサイズを示す値である場合、ステップ３０２は以下のサブステップを含むことができる。
【００７３】
１．アップリンクデータを格納するように構成されたアップリンクバッファ内の現在のデータ量を取得するステップ。
【００７４】
２．  ＷＬＡＮの関連情報および現在のデータ量に従って、第２のリンクによって通信相手ノードに送信されるデータ量を決定するステップ。
【００７５】
アップリンクバッファは、アップリンクデータを格納するためのデータバッファである。ＬＷＡシナリオを例にとると、フロー分配はＰＤＣＰレイヤを介して実行されるので、アップリンクバッファはＰＤＣＰバッファである。例えば、アップリンクバッファ内のデータパケットの現在の数がｎであり、端末はＷＬＡＮの関連情報およびデータパケットの数ｎに従って、第２のリンクによって通信相手ノードに送信されるデータパケットの数がｍであることを決定し、ここで、ｎ≧ｍ≧１であり、ｎおよびｍは整数である。別の例では、アップリンクバッファ内の現在のデータ量はａビットであり、端末はＷＬＡＮの関連情報およびデータ量に応じて、第２のリンクによって通信相手ノードに送信されるデータ量がｂビットであると決定し、ここで、ａ≧ｂ≧１であり、ａおよびｂは整数である。異なるデータパケットが異なるデータサイズを含むことを考慮すると、データ量は、データサイズ（ビット数）によってより正確に表され得る。
【００７６】
任意選択的に、第２のリンクによって通信相手ノードに送信されるデータ量を決定した後、端末は、ＢＳＲ（Ｂｕｆｆｅｒ  Ｓｔａｔｕｓ  Ｒｅｐｏｒｔ）をセルラネットワーク内の基地局に送信する。ここで、ＢＳＲは、上位バッファの現在のデータ量と第２リンクによって伝送されるデータ量との差分値を含む。基地局は、差分値に従って端末にアップリンクリソースを割り当てるように構成される。端末は、基地局によって割り当てられたアップリンクリソースを取得する。本開示の実施形態ではアップリンクバッファに現在のデータ量を搬送する代わりにＢＳＲに差分値を搬送することによって、差分値はセルラネットワークによって提供される第１のリンクによって通信相手ノードに送信される予定のデータ量をより正確に反映するので、基地局は差分値に従ってアップリンクリソースをより正確に割り当てることができる。したがって、基地局は、ＵＥに対して過剰なアップリンクリソースを割り当てることを防止される。したがって、資源の無駄が回避される。
【００７７】
また、本発明の実施形態は、端末がＷＬＡＮの関連情報に従って、第２のリンクによって通信相手ノードに送信されるデータ量を決定する特定のモードを限定しない。一例ではＷＬＡＮの関連情報が１つの情報のみを含む場合、端末はその情報に従って第２のリンクによって送信されるデータ量を決定する。例えば、第２リンクによって送信されるデータ量の総データ量に対する割合を算出し、情報に応じて問い合わせる。その後、アップリンクバッファの現在のデータ量と割合に応じて、第２リンクによって送信されるデータ量を算出する。ＷＬＡＮの関連情報が複数の情報を含む場合、端末は、複数の情報を参照して、第２のリンクによって送信されるデータ量を決定してもよい。例えば、異なる情報項目は、異なる重み付けで構成される。第２リンクにより送信されたデータ量の総データ量に対する割合は、情報および対応する重みに従って計算および決定される。その後、アップリンクバッファの現在のデータ量と割合に応じて、第２リンクによって送信されるデータ量を算出する。
【００７８】
ステップ３０３では、データ量に応じて、第２のリンクを介してアップリンクデータを通信相手ノードに送信する。
【００７９】
端末は、データ量に応じて、第２のリンクを介してアップリンクデータを通信相手ノードに送信する。例えば、アップリンクバッファ内の現在のデータ量がａビットであり、第２のリンクによって通信相手ノードに送信されるデータ量が端末によってｂビットであると決定される場合、端末は第２のリンクを介して通信相手ノードにアップリンクデータのｂビットを送信し、第１のリンクを介して通信相手ノードにアップリンクデータのａ-ｂビットを送信する。
【００８０】
さらに、アップリンク送信プロセスにおいて、端末は、ステップ３０１〜３０３を周期的に実行して、第１のリンクおよび第２のリンクによってそれぞれ通信相手ノードに送信されるデータ量を連続的に調整することができる。
【００８１】
任意選択で、この実施形態によって提供されるデータ伝送方法は、以下のステップ３０４〜３０５をさらに含む。
【００８２】
ステップ３０４において、ネットワーク状態が取得される。
【００８３】
端末は、第１のリンクのリンク品質、第２のリンクのリンク品質、セルラネットワークの負荷状態、およびＷＬＡＮの負荷状態のうちの少なくとも１つを含むがこれらに限定されないネットワーク状態を取得する。セルラネットワークの負荷状態は、端末によってアクセスされるセルラネットワークの全体的な負荷状態であってもよく、端末に接続された基地局の負荷状態であってもよい。ＷＬＡＮの負荷状態は、端末によってアクセスされるＷＬＡＮの全体的な負荷状態であってもよく、端末に接続されたＡＰの負荷状態であってもよい。
【００８４】
ステップ３０５において、第１のリンクまたは第２のリンクによって送信されるデータ量は、ネットワーク状態に従って調整される。
【００８５】
端末は、ネットワーク状態に応じて、第１のリンクによって送信されるデータ量または第２のリンクによって送信されるデータ量を調整する。本開示の実施形態では、具体的な調整モードは限定されない。例えば、第１のリンクのリンク品質が改善され、および／または第２のリンクのリンク品質が低減され、および／またはセルラネットワークの負荷状態が緩和され、および／またはＷＬＡＮの負荷状態が増大される場合、端末は、第１のリンクによって送信されるデータ量を増加させ、第２のリンクによって送信されるデータ量を減少させる。逆に、第１のリンクのリンク品質が低減され、および／または第２のリンクのリンク品質が改善され、および／またはセルラネットワークの負荷状態が増大され、および／またはＷＬＡＮの負荷状態が軽減されると、端末は第１のリンクによって送信されるデータ量を低減し、第２のリンクによって送信されるデータ量を増大する。
【００８６】
要約すると、本実施形態によって提供されるデータ伝送方法はホーム端末によってアクセスされるＷＬＡＮの関連情報を取得し、ＷＬＡＮの関連情報に従ってＷＬＡＮによって提供される第２のリンクによって通信相手ノードに送信されるデータ量を決定し、決定されたデータ量に従って第２のリンクによって通信相手ノードにアップリンクデータを送信する。ＬＷＡ技術におけるアップリンク送信解決策が提供される。セルラネットワークによって提供される第１のリンクおよびＷＬＡＮによって提供される第２のリンク上で送信されるデータのサイズは、ＷＬＡＮの関連情報に基づいて決定される。これにより、アップリンクデータの配信が実現される。セルラネットワークのデータ伝送圧力が低下する。２つのリンクで伝送されるデータ量の割り当ての妥当性が保証される。
【００８７】
さらに、ＢＳＲは端末によってセルラネットワーク内の基地局にさらに送信され、アップリンクバッファ内の現在のデータ量と第２のリンクによって送信されたデータ量との間の差分値を含み、その結果、基地局は、差分値に従って端末にアップリンクリソースを割り当てる。差分値はセルラーネットワークによって提供される第１のリンクによって通信相手ノードに送信されることが予定されるデータ量をより正確に反映するので、基地局は差分値に従ってアップリンクリソースをより正確に割り当てることができる。したがって、基地局は、ＵＥに対して過剰なアップリンクリソースを割り当てることを防止される。したがって、資源の無駄が回避される。
【００８８】
また、ネットワーク状態は、端末を介して取得される。第１のリンクまたは第２のリンクによって送信されるデータ量はリソース利用率を最大にし、システム性能を改善するために、ネットワーク状態に応じて動的に調整される。
【００８９】
本開示の実施形態は、セルラネットワークおよびＷＬＡＮアグリゲーションシナリオにおけるアップリンク送信解決策を提供する。任意選択で、セルラネットワークがＬＴＥネットワークである場合、本開示の実施形態によって提供されるアップリンク送信解決策を採用する集約アーキテクチャは、ｅＬＷＡ（ｅｎｈａｎｃｅｄ  ＬＴＥ-ＷＬＡＮ  Ａｇｇｒｅｇａｔｉｏｎｓ）と呼ぶことができる。本開示の実施形態で提供される技術的解決策を採用することによって、アップリンクデータの配信が実現される。セルラネットワークのデータ伝送圧力が低下する。
【００９０】
以下は、本開示の方法の実施形態を実装するために使用され得る本開示の装置の実施形態である。本開示の装置の実施形態に開示されていない詳細については、本開示の方法の実施形態を参照することができる。
【００９１】
図４は、本発明の一実施形態によるデータ伝送装置のブロック図である。この装置は、図１の実施環境において端末に適用することができる。端末は、セルラーネットワークによって提供される第１のリンクおよびＷＬＡＮによって提供される第２のリンクをそれぞれ介して、通信相手ノードとの通信接続を確立する。装置は上記の方法を実施する機能を有し、その機能は、ハードウェアを介して、または関連するハードウェアによって実行されるソフトウェアを介して実施することができる。装置は、第１の取得モジュール４１０と、決定モジュール４２０と、送信モジュール４３０とを含むことができる。
【００９２】
第１の取得モジュール４１０はホーム端末によってアクセスされるＷＬＡＮの関連情報を取得するように構成され、ＷＬＡＮの関連情報はＷＬＡＮのデータ配信能力を示すために使用される。
【００９３】
決定モジュール４２０は、ＷＬＡＮの関連情報に従って、第２のリンクによって通信相手ノードに送信されるデータ量を決定するように構成される。
【００９４】
送信モジュール４３０は、データ量に応じて、第２のリンクを介して通信相手ノードにアップリンクデータを送信するように構成される。
【００９５】
要約すると、本実施形態によって提供されるデータ伝送装置はホーム端末によってアクセスされるＷＬＡＮの関連情報を取得し、ＷＬＡＮの関連情報に従ってＷＬＡＮによって提供される第２のリンクによって通信相手ノードに送信されるデータ量を決定し、決定されたデータ量に従って第２のリンクによって通信相手ノードにアップリンクデータを送信する。ＬＷＡ技術におけるアップリンク送信解決策が提供される。セルラネットワークによって提供される第１のリンクおよびＷＬＡＮによって提供される第２のリンク上で送信されるデータのサイズは、ＷＬＡＮの関連情報に基づいて決定される。これにより、アップリンクデータの配信が実現される。セルラネットワークのデータ伝送圧力が低下する。２つのリンクで伝送されるデータ量の割り当ての妥当性が保証される。
【００９６】
図４に示す実施形態に基づいて提供される代替実施形態では、ＷＬＡＮの関連情報がＷＬＡＮのバージョン番号、ＷＬＡＮの受信信号強度指示ＲＳＳＩ、ＷＬＡＮの利用可能なチャネル利用、ＷＬＡＮの基本サービスセットＢＳＳ負荷、およびＷＬＡＮ内でアクセスされるステーションＳＴＡの数のうちの少なくとも１つを含む。
【００９７】
図４に示す実施形態に基づいて提供される別の代替実施形態では図５に示すように、決定モジュール４２０は第１の取得サブモジュール４２０ａと、決定サブモジュール４２０ｂとを含む。
【００９８】
第１の取得サブモジュール４２０ａは、アップリンクデータを格納するように構成されたアップリンクバッファ内の現在のデータ量を取得するように構成される。
【００９９】
決定サブモジュール４２０ｂは、ＷＬＡＮの関連情報および現在のデータ量に従って、第２のリンクによって通信相手ノードに送信されるデータ量を決定するように構成される。
【０１００】
任意選択で、決定モジュール４２０は、送信サブモジュール４２０ｃおよび第２の取得サブモジュール４２０ｄをさらに含む。
【０１０１】
送信サブモジュール４２０ｃはセルラネットワーク内の基地局にＢＳＲを送信するように構成され、ＢＳＲは現在のデータ量と第２のリンクによって送信されたデータ量との間の差分値を含み、基地局は差分値に従って端末にアップリンクリソースを割り当てるように構成される。
【０１０２】
第２の取得サブモジュール４２０ｄは、基地局によって割り当てられたアップリンクリソースを取得するように構成される。
【０１０３】
図４に示す実施形態に基づいて提供されるさらに別の代替実施形態では図５に示すように、デバイスは第２の取得モジュール４４０および調整モジュール４５０をさらに含む。
【０１０４】
第２の取得モジュール４４０は、ネットワーク状態を取得するように構成される。
【０１０５】
調整モジュール４５０は、ネットワーク状態に応じて、第１のリンクまたは第２のリンクによって送信されるデータ量を調整するように構成される。
【０１０６】
任意選択的に、ネットワーク状態は、第１のリンクのリンク品質、第２のリンクのリンク品質、セルラネットワークの負荷状態、およびＷＬＡＮの負荷状態のうちの少なくとも１つを含む。
【０１０７】
なお、上記実施形態によって提供される装置はその機能を実現する際に、上記各機能モジュールを分割するだけで例示される。実際の用途では、上述の機能がデバイスの内部構造を異なる機能モジュールに分割して、上述の機能の全部または一部を完成させることができるように、要件に従って異なる機能モジュールによって割り当て、完成させることができる。
【０１０８】
上記の実施形態のデバイスに関して、各モジュールによって実行される動作の特定のモードは本方法の実施形態において詳細に説明されており、その説明は、本明細書では詳細に説明されない場合がある。
【０１０９】
本開示の例示的な実施形態は、本開示の実施形態で提供されるデータ伝送方法を実装することができる端末をさらに提供する。端末は、プロセッサと、プロセッサによって実行可能な命令を記憶するためのメモリとを含むことができる。ここで、プロセッサは、以下のように構成される。
【０１１０】
ホーム端末によってアクセスされるＷＬＡＮの関連情報を取得し、ＷＬＡＮの関連情報は、ＷＬＡＮのデータ配信能力を示すために使用される。
【０１１１】
ＷＬＡＮの関連情報に従って、第２のリンクによって通信相手ノードに送信されるデータ量を決定する。
【０１１２】
データ量に従って、第２のリンクを介して通信相手ノードにアップリンクデータを送信する。
【０１１３】
任意選択的に、ＷＬＡＮの関連情報は、ＷＬＡＮのバージョン番号、ＷＬＡＮの受信信号強度指示ＲＳＳＩ、ＷＬＡＮの利用可能なチャネル利用、ＷＬＡＮの基本サービスセットＢＳＳ負荷、およびＷＬＡＮにおいてアクセスされる局ＳＴＡの数のうちの少なくとも１つを含む。
【０１１４】
任意選択的に、プロセッサは、以下のように構成される。
【０１１５】
アップリンクデータを格納するように構成されたアップリンクバッファ内の現在のデータ量を取得する。
【０１１６】
ＷＬＡＮの関連情報および現在のデータ量に従って、第２のリンクによって通信相手ノードに送信されるデータ量を決定する。
【０１１７】
任意選択的に、プロセッサは、以下のように構成される。
【０１１８】
バッファステータスレポート（ＢＳＲ：Ｂｕｆｆｅｒ  Ｓｔａｔｕｓ  Ｒｅｐｏｒｔ）をセルラネットワーク内の基地局に送信し、ＢＳＲは現在のデータ量と第２のリンクによって送信されたデータ量との間の差分値を含み、基地局は、差分値に従って端末にアップリンクリソースを割り当てるように構成される。
【０１１９】
基地局によって割り当てられたアップリンクリソースを取得する。
【０１２０】
任意選択的に、プロセッサは、以下のようにさらに構成される。
【０１２１】
ネットワーク状態を取得する。
【０１２２】
ネットワーク状態に応じて、第１のリンクまたは第２のリンクによって送信されるデータ量を調整する。
【０１２３】
任意選択的に、ネットワーク状態は、第１のリンクのリンク品質、第２のリンクのリンク品質、セルラネットワークの負荷状態、およびＷＬＡＮの負荷状態のうちの少なくとも１つを含む。
【０１２４】
図６は、例示的な実施形態による端末の可能な設計構造の簡略化された概略図である。端末６００は、送信機６０１と、受信機６０２と、プロセッサ６０３とを含む。プロセッサ６０３もコントローラとすることができ、図６では「コントローラ／プロセッサ６０３」として示されている。任意選択で、端末６００は、変復調プロセッサ６０５をさらに含むことができる。変復調プロセッサ６０５は、エンコーダ６０６と、変調部６０７と、デコーダ６０８と、復調部６０９とを含んでもよい。
【０１２５】
一例では送信機６０１が出力サンプルを調整（例えば、アナログ変換、フィルタリング、増幅、およびアップコンバート）し、アップリンク信号を生成し、アップリンク信号はアンテナを介して、上述の実施形態における基地局に送信される。上記実施形態ではダウンリンクにおいて、アンテナは基地局が送信したダウンリンク信号を受信する。受信機６０２はアンテナから受信した信号を調整（例えば、フィルタリング、増幅、ダウンコンバートおよびデジタル化）し、入力サンプルを提供する。変復調プロセッサ６０５において、エンコーダ６０６はアップリンク上で送信されるビジネスデータおよびシグナリングメッセージを受信し、ビジネスデータおよびシグナリングメッセージを処理（例えば、フォーマット、エンコード、インターリーブ）する。変調部６０７は、符号化されたビジネスデータおよびシグナリングメッセージをさらに処理し（シンボルマップおよび変調など）、出力サンプルを提供する。復調部６０９は入力サンプルを処理し（例えば、復調し）、シンボル推定（ｓｙｍｂｏｌ  ｅｓｔｉｍａｔｉｏｎ）を提供する。デコーダ６０８はシンボル推定を処理し（例えば、デインターリーブ（ｄｅ−ｉｎｔｅｒｌｅａｖｅ）およびデコード（ｄｅｃｏｄｅ））、端末６００に送信されるデコードされたデータおよびシグナリングメッセージを提供する。エンコーダ６０６、変調部６０７、復調部６０９およびデコーダ６０８は、統合された変復調プロセッサ６０５によって実現することができる。これらのユニットは無線アクセス技術（例えば、ＬＴＥ及び進化システムの他のアクセス技術）に従って処理を実行する。なお、端末６００が変復調プロセッサ６０５を備えていない場合には、プロセッサ６０３によって上記の変復調プロセッサ６０５の機能も完成させてもよい。
【０１２６】
プロセッサ６０３は端末６００の動作に関する制御管理を実行し、本開示の実施形態における端末６００によって実行される処理を実行するように構成される。例えば、プロセッサ６０３は、図２および図３のステッププロセス、および／または本開示によって説明される技術的解決策の他のステッププロセスを実行するようにさらに構成される。
【０１２７】
さらに、端末６００は、端末６００のためのプログラムコードおよびデータを格納するように構成されたメモリ６０４をさらに含むことができる。
【０１２８】
本開示の実施形態における端末の機能を実行するように構成されたプロセッサは、中央処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、トランジスタ論理デバイス、ハードウェアコンポーネント、またはそれらの任意の組合せとすることができる。プロセッサは、本開示の実施形態を参照して説明される様々な例示的な論理ボックス、モジュール、および回路を実現または実行することができる。また、プロセッサは、１つ以上のマイクロプロセッサと、ＤＳＰおよびマイクロプロセッサの組み合わせとを含む組み合わせのような、計算を達成するための組み合わせであってもよい。
【０１２９】
本発明の実施形態に関連して説明したステップは、ハードウエアの手段によって、またはプロセッサがソフトウエア命令を実行する方法で実現することができる。ソフトウェア命令は、ランダムアクセスメモリ（ＲＡＭ）、フラッシュメモリ、読み出し専用メモリ（ＲＯＭ）、消去可能プログラマブルＲＯＭ（ＥＰＲＯＭ）、電気的ＥＰＲＯＭ（ＥＥＰＲＯＭ）、レジスタ、ハードディスク、モバイルハードディスク、ＣＤ-ＲＯＭ、または当技術分野で周知の任意の他のフォーマットの記憶媒体に記憶され得る対応するソフトウェアモジュールからなり得る。例示的な記憶媒体はプロセッサが記憶媒体から情報を読み取り、記憶媒体に情報を書き込むことができるように、プロセッサに結合される。もちろん、記憶媒体はプロセッサの一部であってもよい。プロセッサおよび記憶媒体は、ＡＳＩＣ内に配置することができる。さらに、ＡＳＩＣは、端末内に配置されてもよい。もちろん、プロセッサおよび記憶媒体は、端末内にディスクリートコンポーネントとして存在してもよい。
【０１３０】
本開示の実施形態は、端末によって使用されるコンピュータソフトウェア命令を記憶するためのコンピュータ記憶媒体をさらに提供する。コンピュータ記憶媒体は、上述の方法を実行するように設計されたプログラムを含む。
【０１３１】
当業者は、上記の例のうちの１つまたは複数において、本開示の実施形態で説明される機能がハードウェア、ソフトウェア、ファームウェア、またはそれらの任意の組合せによって実装され得ることを理解することはずである。ソフトウェアによって実装される場合、機能は、コンピュータ可読媒体に格納され得るか、またはコンピュータ可読媒体上の１つまたは複数の命令またはコードとして送信され得る。コンピュータ可読媒体は、コンピュータ記憶媒体と、ある場所から別の場所へのコンピュータプログラムの転送を容易にする任意の媒体を含む通信媒体とを含む。記憶媒体は、汎用または専用コンピュータによってアクセスすることができる任意の利用可能な媒体とすることができる。
【０１３２】
本明細書で言及される「複数」は、２つ以上を手段することを理解されたい。「および／または」は関連付けられたオブジェクト間の関連付け関係を記述し、３つの関係が存在し得ることを示す。例えば、Ａおよび／またはＢは、Ａが別々に存在し、ＡおよびＢが同時に存在し、Ｂが別々に存在する３つのケースがあることを示すことができる。文字「／」は一般に、コンテキストオブジェクト間に「ｏｒ」関係が存在することを示す。
【０１３３】
上述の特定の実施は、本開示の実施形態の目的、技術的解決策、および有益な効果をさらに説明した。上記の説明は、本開示の実施形態の特定の実施にすぎず、本開示の実施形態の保護の範囲を限定することを意図していないことを理解されたい。本開示の実施形態の技術的解決策に基づいて行われる任意の修正、等価な置換、改善等は、本開示の実施形態の保護の範囲内に入るべきである。
【図１】
2019520006.tif 000003
【図２】
2019520006.tif 000004
【図３】
2019520006.tif 000005
【図４】
2019520006.tif 000006
【図５】
2019520006.tif 000007
【図６】
2019520006.tif 000008
【国際調査報告】
2019520006.tif 000009
2019520006.tif 000010
2019520006.tif 000011
2019520006.tif 000012